(57)【要約】【課題】太陽光発電にてより多くの発電を行うために屋根の面積を確保しようとすると、屋根の強度を確保することが難しくなる、という問題を解決すること。【解決手段】太陽電池パネルを設置する片流れ式の屋根を有する建造物であって、片流れ式の屋根の上端部及び下端部は、当該片流れ式の屋根を有する建造物の外壁面位置よりも予め定められた所定の長さ分だけ突出するよう構成され、片流れ式の屋根の上端部は、上端部側に位置する建造物の外壁面から突出して設けられた複数の支え部により支持されており、支え部は、上端部側に位置する建造物の外壁面の両端付近の箇所、及び、その間の少なくとも１つの箇所に設けられている。【選択図】図１
2016017309.tif 000002
【特許請求の範囲】
【請求項１】
太陽電池パネルを設置する片流れ式の屋根を有する建造物であって、
前記片流れ式の屋根の上端部及び下端部は、当該片流れ式の屋根を有する前記建造物の外壁面位置よりも予め定められた所定の長さ分だけ突出するよう構成され、
前記片流れ式の屋根の上端部は、上端部側に位置する前記建造物の外壁面から突出して設けられた複数の支え部により支持されており、
前記支え部は、前記上端部側に位置する建造物の外壁面の両端付近の箇所、及び、その間の少なくとも１つの箇所に設けられている、
建造物。
【請求項２】
請求項１に記載の建造物であって、
前記支え部は、一辺が前記上端部側の外壁面に当接し、他の一辺が前記片流れ式の屋根に当接する略三角形状の支え部である、
建造物。
【請求項３】
請求項１又は２に記載の建造物であって、
前記外壁面の両端付近の箇所から突出して設けられた支え部は、それぞれ、前記建造物の側面の壁と一体となるように、当該側面の壁を延設することで設けられている、
建造物。
【請求項４】
請求項１乃至３のいずれかに記載の建造物であって、
前記建造物は前記片流れ式の屋根の下端部側に当該建造物から突出するベランダ部を有しており、
前記片流れ式の屋根の下端部側は、前記ベランダ部の両端付近の箇所、及び、その間の少なくとも１つの箇所、にそれぞれ設けられた柱部により支持されている、
建造物。
【請求項５】
請求項４に記載の建造物であって、
前記片流れ式の屋根の下端部は、当該片流れ式の屋根の下端部側の前記ベランダ部の位置であるベランダ部位置よりも所定の長さ分突出するように構成されている、
建造物。
【請求項６】
太陽電池パネルを設置する片流れ式の屋根であって、
前記片流れ式の屋根の上端部及び下端部は、当該片流れ式の屋根を設置する建造物の外壁面位置から予め定められた所定の長さ分だけ突出するよう構成され、
前記片流れ式の屋根の上端部は、上端部側に位置する前記建造物の外壁面の両端付近の箇所、及び、その間の少なくとも１つの箇所、からそれぞれ突出して設けられた複数の支え部により支持されるように構成されている、
片流れ式の屋根。
【発明の詳細な説明】
【技術分野】
【０００１】
本発明は、建造物、片流れ式の屋根にかかり、特に、太陽電池を設置する建造物、片流れ式の屋根に関する。
【背景技術】
【０００２】
住宅などの建造物に太陽電池を設置することで、一般的な建造物においても発電を行うことを可能とする太陽光発電システムが知られている。太陽光発電システムは、物質に光を照射することで起電力が発生する光起電力効果を利用して、光エネルギーを直接電気エネルギーに変換するシステムである。そのため、太陽光発電システムにおいては、太陽電池に光が照射する照射面が大きいほど、効率的な発電を行うことが可能となる。
【０００３】
このような太陽光発電システムに関する技術として、例えば、特許文献１がある。特許文献１には、出力電圧が互いに同じになるように複数種類の太陽電池パネルと組み合わせた太陽電池グル―プを形成し、当該形成した太陽電池グループを屋根に設置する技術が記載されている。特許文献１によると、このような構成を有することで、受光面積や形状の異なる太陽電池を組み合せることが出来るようになる。その結果、屋根面全体を有効的に活用して太陽光発電を行うことが出来るようになる。
【０００４】
また、上記のように、太陽光発電は光起電力効果を利用して発電を行っている。そのため、太陽光が照射する面積が広くなるほど発電量が増えることになる。従って、より多くの発電を行うためには、屋根面を有効的に活用するだけでなく、太陽光発電に利用可能な屋根の面積自体を広げることが望ましいと考えられる。このようなより多くの発電を可能とする屋根の形態としては、例えば、屋根面が一枚で構成されている片流れ式の屋根を用いることが考えられる。片流れ式の屋根を用いて太陽光発電を行う技術として、例えば、特許文献２がある。
【先行技術文献】
【特許文献】
【０００５】
【特許文献１】特開２０００−２５７２３０号公報
【特許文献２】特開２００５−１３３６６６号公報
【発明の概要】
【発明が解決しようとする課題】
【０００６】
上記のように、太陽光の照射面を広くすることで、太陽光発電を用いてより多くの発電を行うことが可能となる。そのため、より多くの発電を行うためには、片流れ式の屋根を用いつつ、さらに屋根の面積を広くすることが望ましい。しかしながら、屋根の面積を単純に大きくすると、建造物から突出する屋根の部分が大きくなることになる。その結果、屋根の強度を確保することが難しくなる、という問題があった。
【０００７】
このように、太陽光発電にてより多くの発電を行うために屋根の面積を確保しようとすると、屋根の強度を確保することが難しくなる、という問題があった。
【０００８】
そこで、本発明の目的は、上述した課題である、太陽光発電にてより多くの発電を行うために屋根の面積を確保しようとすると、屋根の強度を確保することが難しくなる、という問題を解決することが出来る建造物を提供することにある。
【課題を解決するための手段】
【０００９】
上記目的を達成するために、本発明の一形態である建造物は、太陽電池パネルを設置する片流れ式の屋根を有する建造物であって、片流れ式の屋根の上端部及び下端部は、当該片流れ式の屋根を有する建造物の外壁面位置よりも予め定められた所定の長さ分だけ突出するよう構成され、片流れ式の屋根の上端部は、上端部側に位置する建造物の外壁面から突出して設けられた複数の支え部により支持されており、支え部は、上端部側に位置する建造物の外壁面の両端付近の箇所、及び、その間の少なくとも１つの箇所に設けられている、という構成を採る。
【００１０】
上記発明によると、建造物が、片流れ式の屋根を有している。そのため、建造物の屋根を構成する面の全てが同一方向に向くことになる。その結果、たとえば屋根を南向き（若しくは西向き）に設置することで、屋根の全面で効率的に太陽光発電を行うことが可能となる。また、上記発明によると、片流れ式の屋根の上端部及び下端部が、当該片流れ式の屋根を有する建造物の外壁面から予め定められた所定の長さ分突出している。そのため、当該突出することで設けられた突出部分の分だけ、片流れ式の屋根の面積が広がることになる。その結果、太陽光発電に利用する事の出来る屋根の広さが広がることになり、太陽光発電にてより多くの発電を行うことが可能となる。
【００１１】
また、同様に上記発明によると、片流れ式の屋根の上端部は、当該上端部側に位置する建造物の外壁面から突出する複数の支え部に支持されている。つまり、本発明における建造物は、片流れ式の屋根の上端部側に位置する外壁面に複数の支え部を有しており、当該支え部を用いて、片流れ式の屋根のうちの上端側の突出部分を支持していることになる。また、上記発明における支え部は、上記外壁面の両端付近の箇所、及び、その間の少なくとも１つの箇所、からそれぞれ突出する支え部である。そのため、外壁部の両端付近、及び、その間の少なくなくとも１つの箇所で、片流れ式の屋根の上端部側の突出部分が支持されることになる。つまり、上記発明によると、片流れ式の屋根の上端部側の突出部分は、建造物から突出する複数の支え部により、複数の箇所で支持されている。これにより、上記のように太陽光発電に利用することの出来る屋根の広さを十分に広くしつつ（つまり、効率的な発電を可能にしつつ）、屋根の強度を確保することが可能となる。
【００１２】
なお、片流れ式の屋根が建造物の外壁面から突出する所定の長さは、予算面、景観面、支え部の大きさ、土地の広さ、など、様々な事情を考慮して定めることが出来る。
【００１３】
また、上記支え部は、一辺が上端部側の外壁面に当接し、他の一辺が片流れ式の屋根に当接する略三角形状の支え部であるよう構成することが出来る。
【００１４】
この発明によると、建造物が、一辺が上端部側の外壁面に当接し、他の一辺が片流れ式の屋根に当接する略三角形状の支え部を有していることになる。つまり、支え部は、外壁面と屋根とに密着するように設けられていることになる。このような構成により、当接する外壁面の全体で分散して、片流れ式の屋根に係る力を受けることが出来ることになる。その結果、より確実に屋根の強度を高めることが可能となる。
【００１５】
なお、支え部を構成する外壁面に当接する一辺は、例えば、建造物と屋根との交点から地上までの長さの略３分の２の長さ（例えば、建造物と屋根との交点から１階部分付近までの長さ）を持つことが考えられる。また、支え部を構成する片流れ式の屋根に当接する一辺は、建造物と屋根との交点から上端部側の屋根の端付近までの長さ（例えば、上記外壁面に当接する一辺の略３分の１の長さ）を持つことが考えられる。このように、建造物が十分な長さを持つ支え部を有することで、屋根の強度をより高めることが出来る。
【００１６】
また、上記外壁面の両端付近の箇所から突出して設けられた支え部は、それぞれ、上記建造物の側面の壁と一体となるように、当該側面の壁を延設することで設けることが出来る。
【００１７】
この発明によると、上記支え部のうち外壁面の両端付近の箇所から突出する支え部が、当該支え部が属する側の側面の壁と一体となるように構成されることになる。つまり、屋根の上端部及び下端部側ではない側面から建造物を見た場合、建造物と支え部とが一体となって見られることになる。一般に、補強ステーなどの補強部材を用いて補強した場合、意匠的な面で問題が生じることがある。一方で、本願は上記のように構成しているため、意匠的な面（見た目）に配慮しつつ、屋根の強度をより高めることが出来ることになる。
【００１８】
また、上記建造物は、片流れ式の屋根の下端部側に当該建造物から突出するベランダ部を有することが出来る。そして、片流れ式の屋根の下端部側は、前記ベランダ部の両端付近の箇所、及び、その間の少なくとも１つの箇所、にそれぞれ設けられた柱部により支持されるよう構成することが出来る。
【００１９】
この発明によると、上記建造物がベランダ部を有することになる。また、ベランダ部の両端付近の箇所、及び、その間の少なくとも１つの箇所、にそれぞれ設けられた柱部により、片流れ式の屋根の下端部側が支持されることになる。つまり、片流れ式の屋根のうちの下端側の突出部分は、ベランダ部に設けられた複数の柱部により、複数の箇所で支持されていることになる。その結果、上記のように太陽光発電に利用することの出来る屋根の広さを十分に広くしつつ（つまり、効率的な発電を可能にしつつ）、屋根の強度を確保することが可能となる。
【００２０】
また、片流れ式の屋根の下端部は、当該片流れ式の屋根の下端部側のベランダ部の位置であるベランダ部位置よりも所定の長さ分突出するように構成することが出来る。つまり、片流れ式の屋根の下端部は、ベランダ部のうちの下端部側の位置（建造物から遠い辺）よりも所定の長さ分突出するように構成することが出来る。
【００２１】
上記のように、片流れ式の屋根の下端部側は、ベランダ部の有する柱部により支持されている。そのため、片流れ式の屋根の下端部は、強度を確保しつつベランダ部よりも所定の長さ分突出することが可能となる。その結果、片流れ式の屋根の下端部側を広げた分だけ太陽光発電に利用することの出来る屋根の広さを広くすることが可能となり、太陽光発電にてより多くの発電を行うことが可能となる。
【発明の効果】
【００２２】
本発明は、以上のように構成されることにより、太陽光発電にてより多くの発電を行うために屋根の面積を広くしつつ、屋根の強度を確保した建造物を実現することが出来る。
【図面の簡単な説明】
【００２３】
【図１】本発明の第１の実施形態に係る建造物の構成の一例を示す側面図である。
【図２】図１で示す建造物の構成を説明するための図である。
【図３】図１で示す建造物の背面図である。
【図４】図１で示す支え部の構成の一例を示すための図である。
【図５】図１で示す建造物の正面図である。
【図６】図１で示すベランダ部の構成の一例を示すための図である。
【発明を実施するための形態】
【００２４】
＜実施形態１＞
本発明の第１の実施形態における建造物１を、図１乃至図６を参照して説明する。図１は、建造物１の構成の一例を示す側面図である。図２は、建造物１の構成を説明するための図である。図３は、建造物１の背面図である。図４は、支え部３の構成の一例を示すための図である。図５は、建造物１の正面図である。図６は、ベランダ部４の構成の一例を示すための図である。
【００２５】
本実施形態においては、太陽光発電を行うことが可能な建造物１について説明する。本実施形態における建造物１は、片流れ式の屋根２を有しており、当該屋根２の上に設置された太陽電池２１にて太陽光発電を行うことになる。また、本実施形態における屋根２は、当該屋根２の上端部及び下端部が、建造物１の外壁面の位置する外壁面位置から予め定められた所定の長さ分だけ突出するように形成されている。後述するように、本実施形態における屋根の２の上端部及び下端部に形成される建造物１の外壁面からの突出部分は、支え部３及びベランダ部４にて支持されることになる。そのため、本実施形態によると、太陽光発電に利用可能な屋根２の面積を広くしつつ、当該屋根２の強度を確保することが可能となる。
【００２６】
図１を参照すると、本実施形態における建造物１は、片流れ式の屋根２と、支え部３と、ベランダ部４と、を有している。また、片流れ式の屋根２の上には、太陽電池２１が設置されている。
【００２７】
図１で示すように、本実施形態における建造物１は２階建ての建造物であり、当該２階部分のうちの屋根２の下端部側に、ベランダ部４が形成されている。また、２階部分のうちの屋根２の上端部側に、支え部３が形成されている。このような構成により、後述するように、屋根２に形成される上端部側の突出部分を支え部３にて支持し、下端部側の突出部分をベランダ部４（の後述する柱部４１）にて支持することが可能となる。
【００２８】
建造物１は、２階建ての住宅建造物である。図２、３で示すように、本実施形態における建造物１（支え部３及びベランダ部４を除いた部分）は、片流れ式の屋根２に相当する部分である上側が傾斜した、箱形の形状をしている。なお、建造物１は、木造であっても構わないし、コンクリート造であっても構わない。建造物１は、一般的な材料により構成されることが出来る。
【００２９】
屋根２は、建造物１の上部に位置する片流れ式の屋根である。つまり、本実施形態における屋根２は一方に傾斜する一面の屋根により構成されている。また、屋根２の上には、太陽電池２１が設置されている。このように構成することで、上記のように、屋根２の上に設置された太陽電池２１を用いて、太陽光発電にてより多くの発電を行うことが可能となる。なお、屋根２の傾斜は、南面又は西面を向いて形成されていることが好ましい。
【００３０】
また、上記のように、本実施形態における屋根２は、傾斜する屋根２のうちの上端部及び下端部が、建造物１の外壁面の位置である外壁面位置から予め定められた所定の長さ分突出するよう構成されている。具体的には、本実施形態における屋根２の上端部は、後述する支え部３の位置である支え部位置（例えば、支え部３と屋根２とが接する辺のうち、建造物１の外壁面からもっとも遠い位置）と同程度か、支え部３の位置よりも所定の長さ分突出するように構成されている。また、本実施形態における屋根２の下端部は、後述するベランダ部４の位置であるベランダ部位置（例えば、後述する柱部４１の位置など、ベランダ部４のうち建造物１の外壁面からもっとも遠い位置。）と同程度か、ベランダ部４の位置よりも所定の長さ分突出するように構成されている。上記のように、屋根２に形成される上端部側の突出部分は、支え部３にて支えられることになる。また、下端部側の突出部分は、ベランダ部４（の柱部４１）にて支えられることになる。そのため、屋根２に設けられる上端部及び下端部の突出部分は、支え部３及びベランダ部４からさらに突出するように構成することが出来る。このような構成により、強度を確保しつつ屋根２の面積をより広くすることが出来る。
【００３１】
なお、屋根２の上端部及び下端部に形成される、建造物１の外壁面（支え部３及びベランダ部４）からの突出部分の長さは、さまざまな条件に基づいて変更することが出来る。屋根２の上端部及び下端部に形成される突出部分は、例えば、予算面、景観面、土地の広さ、ユーザの好み、などに基づいて調整することが出来る。
【００３２】
支え部３は、屋根２の上端部側に位置する建造物１の外壁面に形成され、屋根２の上端部側の突出部分を支える機能を有している。図４で示すように、本実施形態における支え部３は、均一の厚さを有する略三角形状の形状をしており、一辺が屋根２の上端部側の外壁面に当接し、他の一辺が屋根２に当接するように形成されている。つまり、本実施形態における支え部３は、屋根２の上端部側に位置する建造物１の外壁面と屋根２とに密着するように形成されている。なお、支え部３の形状は、必ずしも三角形状でなくても構わない。
【００３３】
図２を参照すると、支え部３のうちの屋根２の上端部側の外壁面に当接する一辺は、当該外壁部と屋根２との交点から建造物１の下方側に向かって、当該建造物１の上端部側の外壁面の長さの略２／３程度の長さを有するように形成されている。つまり、支え部３のうちの屋根２の上端部側の外壁面に当接する一辺は、屋根２と外壁面との交点から２階部分と１階部分の境目付近か、一階部分の天井程度までの長さを有している。また、屋根２に当接する他の一辺は、上記外壁面に当接する一辺の略１／２〜１／３程度の長さを有している。このように、本実施形態に係る支え部３は、建造物１の大きさに対して、ある程度の大きさを占めている。そのため、十分な大きさを有しない支え部に比べて、より確実に屋根２の強度を確保することが可能となる。
【００３４】
また、図３を参照すると、本実施形態における支え部３は、建造物１の両端付近の箇所（２箇所）と、その間の３箇所の合計５箇所に形成されている。また、本実施形態における支え部３のうちの両端付近の箇所の間に形成される（３箇所の）支え部３は、それぞれの支え部３の間の間隔が等間隔になるように、建造物１に形成されている。そして、本実施形態においては、いずれの箇所に形成される支え部３も、同じ形状をしている。つまり、本実施形態における建造物１は、同程度の大きさ、厚さを有する支え部３を５つ有していることになる。また、屋根２の上端部側の外壁面には、均等に支え部３が形成されていることになる。
【００３５】
なお、本発明を実施する際には、本実施形態で示すように全ての支え部３の形状を揃える必要は必ずしもない。例えば、両端付近の間に形成される３箇所の支え部３の大きさを、両端付近にそれぞれ形成される支え部３の大きさと比べて少し小さくするなど、支え部３の形状を当該支え部３が形成される場所ごとに変更しても構わない。また、建造物１が有する支え部３の数も本実施形態で示す場合に限定されない。建造物１は、例えば、当該建造物１の両端付近及びその間の一箇所の合計３箇所に支え部３を有するなど、５つよりも少ない支え部３を有していても構わないし、６つ以上の支え部３を有していても構わない。
【００３６】
また、支え部３を形成する素材は様々なものを用いることが出来る。つまり、支え部３は、建造物１の外壁面と同じ素材により形成されていても構わないし、異なる素材により形成されていても構わない。
【００３７】
また、図１で示すように、本実施形態における両端付近の箇所に形成される支え部３は、建造物１の側面の壁と一体となるように形成することが出来る。つまり、両端付近の箇所に形成される支え部３は、（屋根２の上端部側でも下端部側でもない）建造物１の側面の壁と同一の壁材を用いて、当該側面の壁を延設することにより設けることが出来る。また、この際には、支え部３（の骨組み）は、建造物１を構成する柱などに連結されることなどにより、建造物１と一体となって形成されることが出来る。このような構成により、屋根２の側面の側から建造物１を見ると、建造物１及び支え部３は一体となって見えることになる。その結果、意匠的な面での一体感を保ちつつ支え部３を形成することが出来る。
【００３８】
ベランダ部４は、上記のように屋根２の下端部側の外壁面に形成され、当該屋根２の下端部側の突出部分を支持する機能を有している。具体的には、図１、６を参照すると、本実施形態におけるベランダ部４は、建造物１の２階部分に設けられており、当該建造物１の横幅と同程度の横幅を有する箱型の形状をしている。また、図５、６で示すように、本実施形態におけるベランダ部４は、当該ベランダ部４のうちの屋根２の下端部側（建造物１から離れる側の辺）の両端付近の２箇所と、上記両端付近の間の２箇所と、にそれぞれ、柱部４１を有している。
【００３９】
図６を参照すると、ベランダ部４の両端付近に形成される柱部４１は、当該ベランダ部４の両側面を塞ぐように形成されている。つまり、ベランダ部４の両端付近に形成される柱部４１は、ベランダ部４の両側面の壁を形成している（本実施形態におけるベランダ部４は、当該ベランダ部４の両端付近に形成された柱部４１により両側面が塞がれていることになる）。また、ベランダ部４のうちの屋根２の下端部側には、所定の高さ（例えば、腰の部分の高さなど）を有する壁部４２が形成されており、当該形成される壁部４２の上に、上記両端付近の間に形成される柱部４１が形成されている。このように、ベランダ部４の両側面は当該ベランダ部４の両端付近に形成される柱部４１により塞がれており、また、ベランダ部４のうちの屋根２の下端部側には壁部４２を有している。そのため、上記のように、ベランダ部４は箱型の形状になることになる。
【００４０】
なお、本実施形態においては、ベランダ部４が、当該ベランダ部４の両端付近に２箇所、及び、その間に２箇所、の合計４箇所に柱部４１を有している場合について説明した。しかしながら、本発明の実施は上記場合に限定されない。ベランダ部４は、両端付近に形成される柱部４１の間に１本の柱部４１のみを有していても構わないし、３本以上の柱部４１を有していても構わない。
【００４１】
また、ベランダ部４は、建造物１と同じ素材により構成されていても構わないし、異なる素材により構成されていても構わない。また、ベランダ部４の建造物１の外壁面から壁部４２までの長さは、一般的なベランダとしての長さを有することが出来る。
【００４２】
また、図１で示すように、本実施形態におけるベランダ部４は、建造物１の側面の壁と一体となるように形成することが出来る。つまり、ベランダ部４は、側面の壁と同一の壁材を用いて、当該側面の壁を延設することにより設けることが出来る。このような構成により、屋根２の側面の側から建造物１を見ると、建造物１及びベランダ部４は一体となって見えることになる。その結果、意匠的な面での一体感を保ちつつベランダ部４を形成することが出来る。なお、上記のように、支え部３も当該支え部３が属する側の側面の壁と一体となるように形成することが出来る。そのため、支え部３と、ベランダ部４と、側面の壁と、が一体となって形成されても構わない。
【００４３】
柱部４１は、ベランダ部４のうちの屋根２の下端部側などに設けられ（ベランダ部４の両側面に設けても構わない）、屋根２の下端部側の突出部分を支持する機能を有している。上記のように、本実施形態における柱部４１は、ベランダ部４のうちの屋根２の下端部側（建造物１から離れる側）の両端付近の２箇所と、上記両端付近の間の２箇所と、に設けられている。また、柱部４１のうちの両端付近の間に形成される柱部４１は、それぞれの柱部４１の間の間隔が等間隔になるように、ベランダ部４に形成されている。
【００４４】
上記のように、本実施形態における柱部４１のうちベランダ部４の両端付近に形成される柱部４１は、ベランダ部４の両側面の壁を形成している。具体的には、上記ベランダ部４の両端付近に形成される柱部４１は、所定の厚さを有する略四角柱状の形状をしており、建造物１の側面の外壁面から延出することにより設けられている。また、両端付近の間に形成される柱部４１は、円柱状、若しくは、四角柱状の形状をしており、壁部４２の上部に設けられている。
【００４５】
また、柱部４１は、それぞれ、当該柱部４１の上部で屋根２の下端部と接合されている。これにより、柱部４１は、屋根２の下端部側の突出部分を支持することが出来る。
【００４６】
なお、本実施形態においては、ベランダ部４の両端付近に形成される柱部４１の形状と、両端付近の間に形成される柱部４１の形状と、が異なる場合について説明した。しかしながら、柱部４１の形状は、全ての箇所で同一であっても構わない。
【００４７】
また、柱部４１は、ベランダ部４と同じ壁材により構成されていても構わないし、異なる壁材により構成されていても構わない。また、柱部４１は、ベランダ部４と一体となるように形成することが出来る。ここで、上記のように、ベランダ部４は、建造物１の側面の壁と一体となるように形成することが出来る。そのため、柱部４１と、ベランダ部４と、建造物１の側面の壁と、は、一体となって形成されても構わない。
【００４８】
このように、本実施形態における建造物１は、片流れ式の屋根２と、支え部３と、ベランダ部４と、を有している。また、屋根２の上端部及び下端部は、建造物１の外壁面の位置である外壁面位置から所定の長さ分突出するように構成されている。そして、屋根２の上端部側の突出部分は支え部３により支持され、屋根２の下端部側の突出部分はベランダ部４により支持されている。このような構成により、屋根２の上端部及び下端部を突出させた分、当該屋根２の面積を広くすることが出来る。また、屋根２の上端部及び下端部に形成される突出部分を支え部３及びベランダ部４にて支持することが出来る。その結果、太陽光発電に利用可能な屋根２の面積を広くしつつ、屋根２の強度を確保することが可能となる。
【００４９】
なお、本実施形態においては、建造物１が２階建ての場合について説明した。しかしながら、建造物１は、例えば、３階建て以上であっても構わない。その場合には、支え部３及びベランダ部４は、建造物１の最上階に相当する階（３階建ての場合は、３階の部分）に形成されることになる。また、建造物１は、住宅建造物以外の建造物であっても構わない。
【００５０】
また、本実施形態においては、支え部３及びベランダ部４を有する建造物１について説明した。しかしながら、本発明の実施は、上記場合に限定されない。建造物１は、例えば、支え部３のみを有していても（ベランダ部４は有していなくても）構わない。
【００５１】
＜付記＞
上記実施形態の一部又は全部は、以下の付記のようにも記載されうる。以下、本発明における建造物などの概略を説明する。但し、本発明は、以下の構成に限定されない。
【００５２】
（付記１）
太陽電池パネルを設置する片流れ式の屋根を有する建造物であって、
前記片流れ式の屋根の上端部及び下端部は、当該片流れ式の屋根を有する前記建造物の外壁面位置よりも予め定められた所定の長さ分だけ突出するよう構成され、
前記片流れ式の屋根の上端部は、上端部側に位置する前記建造物の外壁面から突出して設けられた複数の支え部により支持されており、
前記支え部は、前記上端部側に位置する建造物の外壁面の両端付近の箇所、及び、その間の少なくとも１つの箇所に設けられている、
建造物。
【００５３】
この構成によると、建造物が、片流れ式の屋根と、支え部と、ベランダ部と、を有している。また、屋根の上端部及び下端部は、建造物の外壁面から所定の長さ分突出するように構成されている。そして、屋根の上端部側の突出部分は支え部３により支持されている。このような構成により、上端部方向に屋根の面積を広くしつつ、当該屋根の強度が低下することを防止することが出来る。その結果、屋根の強度を確保しつつ効率的な太陽光発電を行うことが可能となる。
【００５４】
（付記２）
付記１に記載の建造物であって、
前記支え部は、一辺が前記上端部側の外壁面に当接し、他の一辺が前記片流れ式の屋根に当接する略三角形状の支え部である、
建造物。
【００５５】
（付記３）
付記１又は２に記載の建造物であって、
前記外壁面の両端付近の箇所から突出して設けられた支え部は、それぞれ、前記建造物の側面の壁と一体となるように、当該側面の壁を延設することで設けられている、
建造物。
【００５６】
（付記４）
付記１乃至３のいずれかに記載の建造物であって、
前記建造物は前記片流れ式の屋根の下端部側に当該建造物から突出するベランダ部を有しており、
前記片流れ式の屋根の下端部側は、前記ベランダ部の両端付近の箇所、及び、その間の少なくとも１つの箇所、にそれぞれ設けられた柱部により支持されている、
建造物。
【００５７】
（付記５）
付記４に記載の建造物であって、
前記片流れ式の屋根の下端部は、当該片流れ式の屋根の下端部側の前記ベランダ部の位置であるベランダ部位置よりも所定の長さ分突出するように構成されている、
建造物。
【００５８】
（付記５−１）
付記１乃至５のいずれかに記載の建造物であって、
前記片流れ式の屋根の上端部は、当該片流れ式の屋根の上端部側の支え部の位置である支え部位置よりも所定の長さ分突出するように構成されている、
建造物。
【００５９】
（付記６）
太陽電池パネルを設置する片流れ式の屋根であって、
前記片流れ式の屋根の上端部及び下端部は、当該片流れ式の屋根を設置する建造物の外壁面から予め定められた所定の長さ分だけ突出するよう構成され、
前記片流れ式の屋根の上端部は、上端部側に位置する前記建造物の外壁面の両端付近の箇所、及び、その間の少なくとも１つの箇所、からそれぞれ突出する複数の支え部により支持されるように構成されている、
片流れ式の屋根。
【００６０】
以上、上記実施形態を参照して本願発明を説明したが、本願発明は、上述した実施形態に限定されるものではない。本願発明の構成や詳細には、本願発明の範囲内で当業者が理解しうる様々な変更をすることが出来る。
【符号の説明】
【００６１】
１  建造物
２  屋根
２１  太陽電池
３  支え部
４  ベランダ部
４１  柱部
４２  壁部
【図１】
2016017309.tif 000003
【図２】
2016017309.tif 000004
【図３】
2016017309.tif 000005
【図４】
2016017309.tif 000006
【図５】
2016017309.tif 000007
【図６】
2016017309.tif 000008